(57)【要約】  「インソールに適用される微小粒子の動的構成と、靴底に適用されるでこぼこな配置を備えた生理学的フットウェア」本発明は、フットウェアセクター（主に小児のフットウェアセクター）に関連し、インソール（４）と靴底（２）の間にチャンバーに使用される微小粒子（１ａ）の動的構成を備える、生理学的フットウェア（図１〜５）に関するものである。前記靴底（２）は、カウンター（３）と、自然な地面をシミュレートするでこぼこな配置（図２及び図３）を有する。【選択図】図４
2020505196.tif 000002
【特許請求の範囲】
【請求項１】
インソールに適用される微小粒子の動的な構成、及び靴底に適用されるでこぼこな配置を備える生理学的フットウェアであって、取り付けのインソール（４）と、ポリマーからなり、でこぼこな配置の靴底（２）との間のチャンバーに適用される、ゆるく、動的な微小粒子（１ａ）から成る快適なインソール（１）と、前記靴底に適用されるヒールカウンター（３）、様々な形状の上部（５）を含むことを特徴とする。
【発明の詳細な説明】
【技術分野】
【０００１】
本発明は、限定されるわけではないが主に乳児や幼児に適用されるフットウェアに関し、さらには、好ましくは、取り付けのインソールと、自然の地面をシミュレートしているでこぼこなレイアウトのでこぼこな床との間に位置するチャンバー及び該床に適用されるヒールカウンターに適用される、好ましくはポリマー又は天然由来の微粒子の動的構成を備える生理学的フットウェアに関し、これは、筋肉組織の活性化を刺激し、その結果、足の正常で理想的な成熟を助ける。
【背景技術】
【０００２】
フットウェアは、足と、足の発達の重要な段階である小児の歩行の発達、及びこの発達に影響を与える要因の発達を目的としている。これは、材料分析、歩行分析、フットウェア付けた場合と裸足の場合の乳幼児の筋電図検査の後に開発された。生成される製品である生理学的フットウェアに加えて、ここで言及した微粒子を挿入するための新たな装置と技術が開発された。
【０００３】
この技術は、ＥＣＯＮＯＭＩＣＳ  ＲＥＳＥＡＲＣＨ  ＳＯＣＩＥＴＹ  ＡＰＵＤ  ＲＥＡＤ（２００５）によってもたらされた人間工学の概念を使用している。フットウェアは、人体と直接接触する製品であり、習慣や社会的地位に関連する必要は衣類を表すだけではない。この関係から生じる問題を解決する際に、解剖学、生理学、心理学の知識を適用するために、人間その人の仕事、機器、環境との関係を研究する必要がある。
【０００４】
基本的に、靴はサブセットから構成されている。オキーフ（１９９６）とコールラウシュ（２００９）によると、靴を作る上で最も重要な基本要素は、靴の形状を決定する人間の足の定型化されたレプリカである靴の木型と、体重がどのように足に分散されるかであり、これは、靴の快適さのための２つの重要な特徴である。しかしながら、木型の上下に取り付けられた各パーツは、非常に特定の特徴と機能を備える他の一連のパーツに細分化される。この目的のために、乳児足のために理想的な木型の寸法が見つけるために、０〜２４ヵ月の小児の足の身体測定研究が行われた。
【０００５】
本発明は、全く新しい技術と配置で、使用者の足を保護する靴底の新しい形状をもたらし、その先端が上げられたときの標準的な足のスクロールを助け、ねじれを防止するヒールカウンターの役割を果たすことにより、足首を保護する。天然の靴底を模した凹凸があるため、筋肉の強化とバランスの改善に役立ち、高い強度、柔軟性、軽さを提供し、ユーザーに高い快適性を提供し、さらに衝撃を緩和する。
【０００６】
インソールを構成する動的微粒子は、そのダイナミズムによって足の筋肉のより大きな活性化を提供し、足の骨格筋の発達不良による将来の異常を防止するだけでなく、歩くたびに材料が各足の形状に成形されるため、足とフットウェアのより大きな接触面積が可能になる。さらに、アッパーの素材とインソールのトップは汗を吸収する。
【０００７】
現在の最新技術、特許番号ＰＣＴＢＲ／２０１３０００５５９、ＵＳ４５２４５３９Ａ、ＤＥ３８３３２３１Ｃ２、ＢＲ２０２０１２００９２７３−０  Ｕ２、ＣＮ２０３１９４７０３Ｕ、ＣＮ２０１４２０３７０６３８Ｕ、ＣＮ２０１５２００１３０８５Ｕ、ＵＳ２００６６４４００５Ａ、ＪＰ２００８３９０６４Ａ、ＣＮ２００９２００７３３６８Ｕ、ＣＮ２０１１２０４０１３７３Ｕにおいて、フットウェアの大部分が単純な技術、及び労働集約、または単に細別上だけに基づいていることが証明されている；すなわち、いわゆる足の成熟期であり、急速な発達期、つまり自立歩行の最初の６か月と、７歳までのゆっくりとした発達期の両方である足の発達段階で人間工学的な問題を解決する製品ではなく、製品の価格をより魅力的にすることを目的とする単純化されたプロセスである。
【０００８】
要するに、既存のフットウェアは、人間工学的及び身体計測的研究にほとんどまたは全く基づいていないため、「偏平足」などの異常を引き起こす可能性がある。現在の最新技術では、インソールのほとんどは、カットプレートや既に最終形状になっている熱成形材料などのエラストマー材料で形成されていることがわかる。
【０００９】
既存の技術とは異なり、本特許は、取り付けのインソールと靴底の間にあるチャンバーに微粒子を注入した製品を開示しており、歩行時の衝撃を最小限に抑え、特にかかとを保護し、時には熱を最小限に抑え、足の正しい形成と成熟を助ける。靴底に適用される不規則な配置は、ヒールの領域に拡張され、ヒールカウンターとして機能する。
【００１０】
本発明には、以下の利点がある。
【００１１】
フットウェアを動的に不規則にし、自然の地面をシミュレートして、筋肉組織を刺激する。
【００１２】
正しく、慎重に、足の発達を助ける。
【００１３】
経済性、現在販売されている靴との競争力のある価格。
【００１４】
微粒子の製造に市場で一般的に見られる材料を使用する。
【図面の簡単な説明】
【００１５】
本発明及びその利点をより完全に理解するために、添付の図面と共に以下の説明を参照する。添付の図面の概略図に明記されている例示的な実施形態を用いて、本発明を以下により詳細に説明する。
【図１】靴の上面斜視図を示している。
【図２】靴の側面図を示している。
【図３】靴の正面図を示している。
【図４】靴の断面を示している。
【図５】靴の底面図を示している。
【発明を実施するための形態】
【００１６】
図１〜５によると、本靴は、インソール（４）と、ここではＰＥ及びＯＳなどのポリマーから成り、でこぼこな配置を示すソール（２）との間のチャンバーに適用される、ゆるくて動的な微粒子（１Ａ）で構成される快適なインソール（１）、ソール（２）に適用されて靴を動的且つでこぼこにするヒールカウンター（３）から成り、これは、自然の地面での歩行をシミュレートし、足の筋肉の刺激と活性化を提供し、その自然で理想的な形成を支援する。上部（５）はさまざまな形状である。
【図１】
2020505196.tif 000003
【図２】
2020505196.tif 000004
【図３】
2020505196.tif 000005
【図４】
2020505196.tif 000006
【図５】
2020505196.tif 000007
【国際調査報告】
2020505196.tif 000008
2020505196.tif 000009
2020505196.tif 000010
2020505196.tif 000011
2020505196.tif 000012
2020505196.tif 000013
2020505196.tif 000014
2020505196.tif 000015